(57)【要約】【課題】記録材の非通過域を冷却風によって冷却する構成の定着装置において、多様な幅サイズの記録材に対しても非通過域を効率的に冷却する。【解決手段】冷却風を加熱回転体３３に案内するダクト５２の送風口５１の面積を変化させるシャッター５６の送風口側の端部にダクト内に突出する仕切り壁６１を設ける。【選択図】図１
2019095533.tif 000002
【特許請求の範囲】
【請求項１】
記録材上の画像をニップ部にて加熱する加熱回転体と、前記加熱回転体の幅方向端部側の設定された領域を冷却する冷却ファンと、前記冷却ファンによる冷却風を前記加熱回転体に導き、前記領域を冷却するための送風口を備えたダクトと、前記送風口の開口幅を装置に導入される記録材の幅方向の長さに応じて変更するように移動されるシャッターを備えたシャッター機構と、を有する定着装置において、
前記シャッターの送風口側の端部に、前記ダクトの内部に突出する仕切り壁であって、前記冷却ファンにより前記送風口を介して前記領域に送られる冷却風の風路を前記幅方向に規制するように前記ダクトの内部を仕切る仕切り壁を備えることを特徴とする定着装置。
【請求項２】
前記仕切り壁は前記ダクトの内部に前記加熱回転体の側から前記ファンの方向に突出しており、前記幅方向に対して垂直方向に配設されていることを特徴とする請求項１に記載の定着装置。
【請求項３】
前記仕切り壁は前記ダクトの内部に前記加熱回転体の側から前記ファンの方向に突出しており、前記加熱回転体から前記ファンに向って開口が拡大する方向に傾斜して配設されていることを特徴とする請求項１に記載の定着装置。
【請求項４】
前記加熱回転体の前記領域の温度を検出する検出手段と、前記検出手段による検出温度が設定温度に上昇したとき前記冷却ファンによる冷却動作を実行する実行手段と、を有することを特徴とする請求項１乃至３の何れか一項に記載の定着装置。
【請求項５】
記録材の搬送が記録材幅中心の中央基準搬送であり、前記送風口は前記中央基準搬送の基準線に対して対称的に２つ設置されており、各送風口に対してそれぞれ前記シャッターが配設されていることを特徴とする請求項１乃至４の何れか一項に記載の定着装置。
【請求項６】
前記シャッター機構は複数枚のシャッターを有し、シャッター機構の開口動作に伴って前記複数枚のシャッターが移動することによってシャッター機構の前記送風口の開口幅を変更する面の面積が縮小することを特徴とする請求項請求項１乃至５の何れか一項に記載の定着装置。
【請求項７】
前記シャッター機構の開口動作に伴って前記複数枚のシャッターが重なりあって移動することを特徴とする請求項６に記載の定着装置。
【請求項８】
記録材の搬送が記録材の一端側を基準とする片側基準搬送であり、前記送風口は１つであり、当該送風口に対して前記シャッターが配設されていることを特徴とする請求項１乃至４の何れか一項に記載の定着装置。
【請求項９】
前記シャッター機構は複数枚のシャッター部材を有し、シャッター機構の開口動作に伴って前記複数枚のシャッターが移動することによってシャッター機構の前記送風口の開口幅を変更する面の面積が縮小することを特徴とする請求項８に記載の定着装置。
【請求項１０】
前記シャッター機構の開口動作に伴って前記複数枚のシャッター部材が重なりあって移動することを特徴とする請求項９に記載の定着装置。
【請求項１１】
記録材の搬送が記録材幅中心の中央基準搬送であり、前記送風口は前記中央基準搬送の基準線に対して対称的に２つ設置されており、各送風口に対してそれぞれ１枚のシャッターを備えた前記シャッター機構が配設されており、前記シャッター機構の開口動作に伴って前記各送風口のシャッターが重なり合って移動することを特徴とする請求項１乃至４の何れか一項に記載の定着装置。
【発明の詳細な説明】
【技術分野】
【０００１】
本発明は、記録材上のトナー像を定着する定着装置に関する。この定着装置は、例えば、複写機、プリンタ、ファクシミリ、及びこれらの機能を複数備えた複合機等の画像形成装置において用いられ得る。
【背景技術】
【０００２】
上記のような画像形成装置は、作像手段によりシート状の記録材（以下、用紙）上に未定着トナー像を形成した後、定着手段により、該トナー像を固着像として定着させている。
【０００３】
定着手段には様々な方式が提案されているが、トナー像を加熱・加圧して定着させる熱圧定着方式の定着装置が一般に用いられている。この定着装置は、加熱手段で加熱される加熱回転体（定着ローラ、定着フィルムなど）と、これと圧接して定着ニップ部を形成する加圧回転体（加圧ローラ、加圧ベルトなど）を有している。そして、この両回転体を回転させ、定着ニップ部に未定着トナー像を担持させた用紙を導入して挟持搬送させることで、トナー像を加熱回転体の熱とニップ圧で用紙面に定着させる。
【０００４】
このような定着装置においては、装置に通紙可能な最大幅を有する最大サイズ用紙よりも幅が小さい小サイズ用紙を連続的に通紙して定着を実行させた場合に、加熱回転体の非通紙域（記録材搬送領域外）において、表面温度が過度に上昇する。これは、小サイズ用紙を連続的に通紙すると、定着ニップ部の用紙が通過しない非通紙域では、用紙による奪熱が無い分だけ、部分的に蓄熱されるためである。この現象は、定着装置の端部昇温あるいは非通紙部昇温と称され、この端部昇温が高温になると、ホットオフセットの発生や装置構成部品の熱劣化につながる。
【０００５】
小サイズ用紙の連続通紙時の端部昇温を抑えるために定着装置の非通紙域を冷却風によって冷却する構成が提案されている。特許文献１では、定着装置に配置した冷却ファンから非通紙域側に、冷却風を選択的に送風している。特許文献２では、冷却ファンから非通紙域側に、冷却風を送風する際に、使用する用紙の幅に応じて、送風口の幅方向の長さを調節することによって、異なった幅サイズの用紙に対しても、非通紙部昇温を防止している。特許文献３では、冷却用ダクト内に仕切り壁を配置し、送風口の幅方向の長さを調整するシャッター部材近傍で冷却風の流量が減少することを抑制している。
【先行技術文献】
【特許文献】
【０００６】
【特許文献１】特開平４−５１１７９号公報
【特許文献２】特開２００３−０７６２０９号公報
【特許文献３】特開２０１２−２３４０６７号公報
【発明の概要】
【発明が解決しようとする課題】
【０００７】
特許文献１〜３においては、冷却風を案内する送風口の面積を変化させることによって幅方向への多様な幅サイズの用紙に対応している。この構成では、用紙の各種幅サイズにより送風口の面積が変化するのに伴い、ダクト内部における冷却風の風路の形状も変化する。これにより、ダクト内における風量の損失の発生や、送風口を出た後の風向の変化が懸念される。
【０００８】
図２０の（ａ）と（ｂ）は、それぞれ、従来の定着装置における小サイズ用紙の通紙時について説明するための模式図である。
【０００９】
１３１は定着部材（用紙上の画像をニップ部にて加熱する加熱回転体）である。１５２（Ｌ・Ｒ）は左右（定着部材の長手一端側と他端側）の冷却用ダクト、１５３（Ｌ・Ｒ）は左右の冷却ファン、１５６（Ｌ・Ｒ）は左右のシャッターである。ダクト１５２（Ｌ・Ｒ）はファン１５３（Ｌ・Ｒ）による冷却風を定着部材１３１の幅方向（長手方向）の端部側の設定された領域に導き、その領域を冷却するための送風口１５１（Ｌ・Ｒ）を有する。シャッター１５６（Ｌ・Ｒ）はシャッター移動機構１５４により送風口１５１（Ｌ・Ｒ）の開口幅を装置に導入される用紙の幅に応じて変更するように移動される。
【００１０】
小サイズ用紙の通紙時において、送風口１５１（Ｌ・Ｒ）に対してシャッター１５６（Ｌ・Ｒ）が例えば（ａ）に示すような位置にある場合では、シャッターの内壁面に冷却風が当り、流線Ｚで示すようにシャッターの内壁面近傍で渦が発生すると考えられる。このような場合、シャッター近傍での流量が損失してしまい、非通紙部に向かう冷却風の流量が長手方向で不均一になってしまう。
【００１１】
また、（ｂ）のようにシャッターの開口位置に対応する仕切り壁１６１をダクト内に配置する構成の場合、シャッターの内壁面近傍での渦Ｄを閉鎖空間内に抑えて非通紙部に向かう冷却風の流量を長手方向で均一化する。しかし、シャッター端と仕切り壁の位置がずれると上記の（ａ）の場合と同様の理屈でシャッターの内壁面近傍での流量が損失し長手方向での非通紙部に向かう冷却風の流量が不均一になってしまう。
【００１２】
本発明は、前述の事情に鑑みてなされたもので、その目的とするところは、記録材の非通過域を冷却風によって冷却する構成の定着装置について、多様な幅サイズの記録材に対しても非通過域を効率的に冷却することにある。
【課題を解決するための手段】
【００１３】
上記の目的を達成するための本発明に係る定着装置の代表的な構成は、記録材上の画像をニップ部にて加熱する加熱回転体と、前記加熱回転体の幅方向端部側の設定された領域を冷却する冷却ファンと、前記冷却ファンによる冷却風を前記加熱回転体に導き、前記領域を冷却するための送風口を備えたダクトと、前記送風口の開口幅を装置に導入される記録材の幅方向の長さに応じて変更するように移動されるシャッターを備えたシャッター機構と、を有する定着装置において、前記シャッターの送風口側の端部に、前記ダクトの内部に突出する仕切り壁であって、前記冷却ファンにより前記送風口を介して前記領域に送られる冷却風の風路を前記幅方向に規制するように前記ダクトの内部を仕切る仕切り壁を備えることを特徴とする。
【発明の効果】
【００１４】
本発明によれば、多様な幅サイズの記録材に対しても、非通紙部の冷却領域へ効率的に冷却風を送ることができる。
【図面の簡単な説明】
【００１５】
【図１】発明の特徴を最もよく表す図
【図２】実施例１の定着装置を搭載した画像形成装置の概略構成図
【図３】図２の画像形成装置における定着装置部分の拡大横断面模式図
【図４】定着装置の正面模式図
【図５】定着機構部の縦断正面模式図
【図６】定着装置の制御系統のブロック図
【図７】冷却ファンの側から見た送風冷却機構部の外観斜視図
【図８】シャッター機構の側から見た送風冷却機構部の外観斜視図
【図９】シャッター機構の外観斜視図
【図１０】シャッターが全閉状態時の送風冷却機構部の外観斜視図
【図１１】シャッターが全開状態時の送風冷却機構部の外観斜視図
【図１２】定着装置の制御フローチャート
【図１３】実施例２の送風冷却機構部の縦断面図
【図１４】実施例３の送風冷却機構部（その１）の縦断面図
【図１５】実施例３の送風冷却機構部（その２）の縦断面図
【図１６】実施例４におけるシャッター機構部の構成模式図（その１）
【図１７】同上図（その２）
【図１８】同上図（その３）
【図１９】同上図（その４）
【図２０】（ａ）、（ｂ）はそれぞれ従来の定着装置における小サイズ紙通紙時について説明するための縦断面図
【発明を実施するための形態】
【００１６】
以下に図面を参照して、この発明を実施するための形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００１７】
《実施例１》
（１）画像形成部
図２は、実施例１の定着装置２０を搭載した画像形成装置の一例である電子写真フルカラープリンタ１００の概略構成図である。このプリンタ１００は、制御回路部（制御手段：ＣＰＵ）２００と通信可能に接続したパソコン等の外部ホスト装置３００からの入力画像情報に応じて作像動作して、記録材上にフルカラー画像を形成して出力することができる。
【００１８】
プリンタ１００において、記録材（以下、用紙）Ｐにトナー画像を形成する画像形成部１００Ａは、イエロー（Ｙ）、マゼンタ（Ｍ）、シアン（Ｃ）、ブラック（ＢＫ）のトナー像を形成する４つの画像形成ステーション１（Ｙ・Ｍ・Ｃ・ＢＫ）を有する。各画像形成ステーション１は、それぞれ、矢印の時計方向に回転駆動されるドラム型の電子写真感光体（以下、ドラムと略記する）２と、ドラム２に作用するプロセス機器としての、帯電ローラ３、現像装置４、一次帯電ローラ５、クリニング装置６を有する。
【００１９】
更に、画像形成部１００Ａは、各ドラム２を走査露光するためのレーザースキャナ７と、一次帯電ローラ５により各ドラム１から転写したトナー像を担持しつつ搬送するベルト（中間転写ベルト）８を有する。また、画像形成部１００Ａは、ベルト８から用紙Ｐにトナー像を転写する二次転写ローラ１２を有する。以上の画像形成部１００Ａの電子写真プロセスや動作は周知であるので詳細な説明は割愛する。
【００２０】
用紙Ｐは給送カセット１３から給送ローラ１４の回転によって１枚ずつ繰り出される。その用紙Ｐはレジストローラ対１６を有する縦搬送パス１５を通り、ベルト８と二次転写ローラ１２とで形成された二次転写部９に導入され、ベルト８側からトナー像の二次転写を受ける。そして用紙Ｐは二次転写部９から縦ガイド１９に案内されて定着装置２０に導入され、用紙Ｐのトナー像が固着像として定着される。定着装置２０を出た用紙Ｐは搬送パス２１を通り排紙ローラ対２２により画像形成物として排紙トレイ２３上に送り出さる。
【００２１】
両面プリントモードが選択されている場合には、第１面プリント済みの用紙が排紙ローラ対２２により排紙トレイ２３上に送り出されていき、後端部が排紙ローラ対２２を通過する直前時点で排紙ローラ対２２の回転が逆転に変換される。これにより、用紙はスイッチバックされて再搬送パス２５に導入され、表裏反転状態になって再びレジストローラ対１６へ搬送される。以後は、第１面プリント時と同様に、二次転写部９、定着装置２０に搬送されて、両面プリントの画像形成物として排紙トレイ２３上に送り出される。
【００２２】
（２）定着装置
次に、本実施例の定着装置２０について説明する。なお、以下の説明において、定着装置又はこれを構成している部材に関して、長手方向（幅方向）とは、用紙搬送路面（用紙搬送路を搬送される用紙の作像面（画像形成面、印字面）に平行な面）内において用紙搬送方向に直交する方向である。定着装置２０に関して、正面とは用紙導入側の面、左右とは定着装置を正面から見て左又は右である。用紙の幅とは、用紙の作像面において、用紙搬送方向に直交する方向の用紙寸法である。
【００２３】
図３は図２のプリンタ１００における定着装置２０部分の拡大横断面模式図である。図４は定着装置２０の正面模式図であり、装置フレームの正面側を切り欠いて定着機構部を見ている。図５は定着機構部の縦断正面模式図である。図６は定着装置２０の制御系統のブロック図である。
【００２４】
この定着装置２０は、大別して、フィルム（ベルト）加熱方式の定着機構部（定着ユニット部）２０Ａと、送風冷却機構部（送風冷却ユニット部）２０Ｂとからなる。
【００２５】
（２−１）定着機構部
定着機構部２０Ａは、基本的には特開平４−４４０７５〜４４０８３、４−２０４９８０〜２０４９８４号公報等に開示のベルト（フィルム）加熱方式・加圧回転体駆動方式のオンデマンド定着装置である。
【００２６】
３１はフィルムアセンブリ（定着ユニット）、３２はニップ部形成部材としての弾性加圧ローラ（加圧回転体：以下、加圧ローラ）である。このフィルムアセンブリ３１の定着フィルム（加熱回転体）３３と加圧ローラ３２の両者の圧接により定着ニップ部（以下、ニップ部）Ｎが形成されている。このニップ部Ｎで用紙Ｐを挟持しながら搬送し、かつ、用紙上（記録材上）に形成された画像ｔをフィルムアセンブリ３１により加熱する。
【００２７】
フィルムアセンブリ３１において、３３は加熱回転体としての円筒状（エンドレスベルト状、スリーブ状）で、可撓性を有する定着フィルム（以下、フィルム）である。３４は横断面が略半円弧状の耐熱性・剛性を有するフィルムガイド（ヒータ保持部材兼フィルムガイド部材：以下、ガイド部材）である。３５は加熱源（加熱体）としてのセラミックヒータ（以下、ヒータ）であり、ガイド部材３４の外面に、該部材の長手方向に沿って設けられた凹溝部に嵌め入れられて固定されている。フィルム３３は、ヒータ３５が取り付けられたガイド部材３４に対してルーズに外嵌されている。
【００２８】
３６は横断面コ字型の剛性を有する加圧ステー（以下、ステー）であり、ガイド部材３４の内側に配設されている。ガイド部材３４とステー３６の左右両端部はそれぞれフィルム３３の左右の開口部から外方に所定に突出している（図５）。３７は加圧ステー３６の左右両端部の外方突出腕部３６ａにそれぞれ嵌着された端部ホルダ、３７ａはこの左右の端部ホルダ３７と一体のフランジ部である。
【００２９】
フィルム３３は、耐熱性樹脂ベルトや金属ベルトをベース層にして、その外周面に、弾性層、離型層等を付加した複合層構造体であり、全体的に肉薄で、可撓性を有し、高熱伝導率・低熱容量の伝熱部材である。
【００３０】
ヒータ３５は、長手方向に延びた、低熱容量の横長・肉薄の面状加熱体である。ヒータ３５は、チッ化アルミニウム・アルミナ等のセラミック材のヒータ基板と、このヒータ基板面に形成された銀−パラジウム等の通電発熱層と、を基本構成としている。セラミックヒータは、各種公知であるからその詳細説明は省略する。
【００３１】
加圧ローラ３２は、芯金３２ａの外周に、シリコーンゴム等の弾性層３２ｂが設けられて所定の硬度に形成されたものである。非粘着性を向上させるために、さらに外周に、ＰＴＦＥ、ＰＦＡ、ＦＥＰ等のフッ素樹脂層３２ｃが設けられるものであってもよい。加圧ローラ３２は加圧部材として、芯金３２ａの左右両端部が装置フレーム３８の左右の側板３８Ｌ・３８Ｒ間に軸受部材４１を介して回転自在に軸受保持されて配設されている。
【００３２】
フィルムアセンブリ３１は、加圧ローラ３２に対して、ヒータ３５側が近接対向するように平行に配列され、左右の端部ホルダ３７と左右の固定のばね受け部材３９との間に加圧ばね４０が縮設されている。これにより、ステー３６、ガイド部材３４、ヒータ３５が加圧ローラ３２側に押圧付勢される。この押圧付勢力により、ヒータ３５の面がフィルム３３を介して加圧ローラ３２に対して弾性層３２ｂの弾性に抗して加圧することで、フィルム３３と加圧ローラ３２が圧接状態となり、加熱定着に必要な用紙搬送方向に関し所定幅のニップ部Ｎが形成される。
【００３３】
Ｇは加圧ローラ３２の芯金３２ａの左端部に固着されたドライブギア（以下、ギア）である。このギアＧに装置駆動源であるモータＭ１の回転力が動力伝達機構（不図示）を介して伝達されることで、加圧ローラ３２が図３において矢印Ｒ３２の時計方向に回転駆動される。
【００３４】
この加圧ローラ３２の回転駆動により、加圧ローラ３２とフィルム３３の外面とのニップ部Ｎにおける摩擦力でフィルム３３に回転力が作用する。これにより、フィルム３３は、その内面がニップ部Ｎにおいてヒータ３５に密着して摺動しながら矢印Ｒ３３の反時計方向にガイド部材３４の外回りを加圧ローラ３２に対して連れ回り回転する（加圧ローラ駆動方式）。そのためフィルム３３は、加圧ローラ３２の回転周速度にほぼ対応した周速度をもって回転する。
左右の端部ホルダ３７のフランジ部３７ａは回転するフィルム３３がガイド部材３４の長手方向に沿って左方又は右方に寄り移動したとき、寄り側のベルト端部を受け止めて移動を規制する役目をする。フィルム３３の内面にはグリス（潤滑剤）が塗布されており、ヒータ３５・ガイド部材３４に対するフィルム３３の摺動性が確保されている。
【００３５】
入り口ガイド１９に案内されてニップ部Ｎに導入された用紙Ｐは、回転する加圧ローラ３２とフィルム３３により挟持搬送される。本実施例では、用紙Ｐの搬送は、用紙幅の中心（記録材幅中心）を基準とした、いわゆる中央基準搬送で行われる。すなわち、装置に通紙使用可能な大小いかなる幅の用紙も用紙の幅方向中央部がフィルム３３の長手方向中央部を通過することになる。Ｓはその中央基準搬送の基準線（仮想線）である。
【００３６】
図５において、Ａはヒータ３５の有効発熱領域幅である。Ｗ１は、装置に通紙可能な最大幅用紙の通紙幅（最大通紙幅）である。本実施例において、この最大通紙幅Ｗ１はＡ３サイズ幅２９７ｍｍ（Ａ３縦送り）である。ヒータ３５の有効発熱領域幅Ａはこの最大通紙幅Ｗ１よりも少し大きく設定されている。
【００３７】
Ｗ３は、装置に通紙可能な最小幅用紙の通紙幅（最小通紙幅）である。本実施例において、この最小通紙幅Ｗ３はＡ５縦サイズ幅１４８ｍｍ（Ａ５縦送り）である。Ｗ２は、最大幅用紙と最小幅用紙の間の幅の用紙の通紙幅である。本実施例において、通紙幅Ｗ２はＢ４サイズ幅２５７ｍｍ（Ｂ４縦送り）を示した。以下、最大通紙幅Ｗ１に対応する幅の用紙を最大サイズ用紙、この用紙よりも幅の小さい用紙を小サイズ用紙と記す。
【００３８】
ａは最大通紙幅Ｗ１と通紙幅Ｗ２との差幅部（（Ｗ１−Ｗ２）／２）、ｂは最大通紙幅Ｗ１と最小通紙幅Ｗ３との差幅部（（Ｗ１−Ｗ３）／２）である。すなわち、非通紙部ａ，ｂはそれぞれ小サイズ用紙であるＢ４又はＡ５の用紙を通紙したときに生じる非通紙部である。
【００３９】
このように、非通紙部ａ，ｂはフィルム３３のうちの一部の領域であって、長手方向に関して、ニップ部Ｎで搬送可能な最大サイズ用紙より幅の狭い用紙が搬送された場合の該用紙の非通過領域（記録材の通過領域（搬送領域）外）である。
【００４０】
本実施例においては、用紙の搬送が中央基準であるから、非通紙部ａ，ｂはそれぞれ通紙幅Ｗ２の左右両側部、最小通紙幅Ｗ３の左右両側部に生じる。この非通紙部の幅は、使用される小サイズ用紙の幅の大小により種々異なる。
【００４１】
ＴＨ１とＴＨ２は第１と第２の温度検知手段（温度検出素子：温度を検出する検出手段）としてのメインとサブの２つのサーミスタである。メインサーミスタＴＨ１は、大小いかなる幅の用紙も通紙部となるフィルム部分の温度を検出するように、フィルム３３の内面に弾性的に接触するように配設されている。具体的には、このメインサーミスタＴＨ１は、ガイド部材３４に基部を固定した板ばね形状の弾性支持部材４４の自由端部に支持されている。そしてこのメインサーミスタＴＨ１は、弾性支持部材４４の弾性によりフィルム３３の内面に弾性的に接触するように配設されている。
【００４２】
サブサーミスタＴＨ２は、装置に通紙可能な最大幅の用紙よりも小さい幅の用紙が通紙されたときの非通紙部となるヒータ部分の温度を検出するように、ヒータ裏面に対して接触するように配設されている。
【００４３】
なお、メインサーミスタＴＨ１は最小通紙幅Ｗ３に対応するヒータ温度を検出するように配設されるものであってもよい。逆に、サブサーミスタＴＨ２は、非通紙部ａに対応するフィルム部分の基層内面に弾性的に接触するように配設されるものであってもよい。
【００４４】
ヒータ３５は、電力供給部としてのヒータ駆動回路９２（図６）から、給電線およびコネクタ（何れも不図示）を介して、ヒータ基板面に具備された通電発熱層に対して通電がなされる。これにより、ヒータは有効発熱領域幅Ａの全域において急速に昇温する。メインサーミスタＴＨ１によりフィルム３３の温度が検出され、フィルム温度に関する電気的情報がＡ／Ｄコンバータ８１を介して制御回路部２００に入力する。また、サブサーミスタＴＨ２により検出され、ヒータ温度に関する電気的情報がＡ／Ｄコンバータ８２を介して制御回路部２００に入力する。
【００４５】
制御回路部２００は、メインサーミスタＴＨ１、及びサブサーミスタＴＨ２の出力をもとに、ヒータ３５の温調制御内容を決定し、ヒータ駆動回路９２からヒータ３５への通電を制御する。
【００４６】
制御回路部２００は、外部ホスト装置３００からのプリント信号あるいは他の制御信号に基づいて、モータ駆動回路９１を制御してモータＭ１を駆動する。これにより、加圧ローラ３２が回転駆動され、フィルム３３も連れ回り回転する。また、ヒータ駆動回路９２を制御して、ヒータ３５のヒートアップを開始させる。
【００４７】
フィルム３３の回転速度が定常化し、ヒータ３５の温度が所定に立ち上がった状態において、画像形成部１００Ａ側からニップ部Ｎに未定着トナー像ｔを担持した用紙Ｐが入り口ガイド１９に沿って案内されて導入される。用紙Ｐのトナー像担持面側がフィルム３３に対面（対向）する。
【００４８】
用紙Ｐはニップ部Ｎをフィルムアセンブリ３１と加圧ローラ３２によって挟持されて搬送される。その搬送過程において、ヒータ３５で加熱されるフィルム３３により用紙Ｐに熱が付与され、またニップ圧により、トナー像ｔが用紙Ｐ面に熱圧定着される。ニップ部Ｎを挟持搬送された用紙Ｐはフィルム３３の面から分離されて排出搬送される。
【００４９】
（２−２）送風冷却機構部
送風冷却機構部２０Ｂは、装置に通紙可能な最大幅の用紙よりも幅の狭い小サイズ用紙を連続通紙した際に生じる、定着機構部２０Ａの非通紙域での昇温を送風により冷却する送風冷却手段である。
【００５０】
図７は送風冷却機構部２０Ｂの外観斜視図であり、冷却ファンの側から見ており、定着機構部２０Ａ側のフィルムアセンブリ３１も書き添えられている。図８も送風冷却機構部２０Ｂの外観斜視図であり、シャッター機構の側から見ており、定着機構部２０Ａ側のフィルムアセンブリ３１も書き添えられている。図９は、シャッター機構部の外観を示す斜視図である。図１０は開口幅変更部材としてのシャッターが送風口を十分に閉ざした全閉位置に移動した状態図である。図１１はシャッターが送風口を十分に開いた全開位置に移動した状態図である。
【００５１】
送風冷却機構部２０Ｂは、フィルム３３の幅方向端部側の設定された領域を冷却する冷却ファン５３（Ｌ・Ｒ）を有する。また、送風冷却機構部２０Ｂは、この冷却ファンによる冷却風をフィルム３３に導き、前記領域を冷却するための送風口５１（Ｌ・Ｒ）を備えるダクト５２（Ｌ・Ｒ）を有する。また、送風冷却機構部２０Ｂは、送風口の開口幅を装置に導入される用紙Ｐの幅方向長さに応じて変更するように移動されるシャッター５６（Ｌ・Ｒ）を備えたシャッター機構５４を有する。
【００５２】
本実施例においては、図３のように、送風手段としての冷却ファン５３（Ｌ・Ｒ）と、冷却ファンからの風を非通紙域に導く冷却用ダクト５２（Ｌ・Ｒ）をフィルム３３側の下流寄りに配置している。冷却用ダクト５２（Ｌ・Ｒ）の内部には送風方向に略平行な横仕切り５０を配置している。これにより、用紙搬送方向下流側に冷却風を送風するように方向付けを行っている。
【００５３】
なお、以下の説明において、冷却ファン５３等に対して左右を表すために符号に添字Ｌ・Ｒを付けて説明する場合もあるが、左右に関して特に区別を要しない場合には添字Ｌ・Ｒは省略する。
【００５４】
左右一対の冷却用ダクト（以下、ダクト）５２（Ｌ・Ｒ）は、冷却ファン（以下、ファン）５３（Ｌ・Ｒ）から定着機構部２０Ａ側に突出するように配設されている。ダクト５２（Ｌ・Ｒ）には、ファン５３（Ｌ・Ｒ）が配設される開口部が設けられており、ファン配設部と反対の先端側はエア吹き出し口（送風口）として開口している。この先端側とは、ファン５３（Ｌ・Ｒ）による送風経路（風路、流路）下流側、定着機構部２０Ａ側である。
【００５５】
ダクト５２（Ｌ・Ｒ）の形状は同形状又は図５における中央基準搬送の基準線Ｓ（フィルム３３の長手方向中央）に対して対称形状であり、ダクト５２（Ｌ・Ｒ）の送風経路がフィルム３３の母線（フィルム幅方向）に対して略垂直な方向にして配設されている。
【００５６】
ファン５３（Ｌ・Ｒ）がオンになると、装置本体内の不図示のエア吸引用ダクトからエアが吸引されて、ダクト５２（Ｌ・Ｒ）内に冷却風が送風され、各エア吹き出し口からエアが吹き出る。本実施例においては、ファン５３（Ｌ・Ｒ）には、軸流ファンを用いている。
【００５７】
送風冷却機構部２０Ｂのダクト５２（Ｌ・Ｒ）の先端側（定着機構部２０Ａ側）には、開口幅調節手段としてのシャッター機構（シャッターユニット）５４が設けられている。このシャッター機構５４の外面側（定着機構部２０Ａ側）と、定着機構部２０Ａのフィルムアセンブリ３１とが近接するように対向して配設されている。
【００５８】
シャッター機構５４は、左右方向を長手方向とするシャッターフレーム５５を有する。このシャッターフレーム５５の左右部には、それぞれ、送風口５１（Ｌ・Ｒ）が具備されており、その各送風口５１（Ｌ・Ｒ）に対応（略一致）するように、ダクト５２（Ｌ・Ｒ）のエア吹き出し口が配設されている。ここで、シャッターフレーム５５の送風口５１（Ｌ・Ｒ）とダクト５２（Ｌ・Ｒ）のエア吹き出し口とは、ダクト５２（Ｌ・Ｒ）の送風口を構成している。そして、このダクト５２（Ｌ・Ｒ）の送風口５１（Ｌ・Ｒ）がフィルム３３の非通紙域に対向するように配設されることとなる。
【００５９】
また、シャッターフレーム５５には、左側の送風口５１Ｌの開口幅を変更可能なシャッター（シャッター板）５６Ｌと、右側の送風口５１Ｒの開口幅を調節するシャッター５６Ｒが配設されている。左右のシャッター５６（Ｌ・Ｒ）は、それぞれ、図８に示す矢印のように、送風口５１（Ｌ・Ｒ）に沿って左右方向にスライド移動可能にシャッターフレーム５５に保持されている。
【００６０】
また、左右のシャッター５６（Ｌ・Ｒ）を連動させて左右方向に移動させるための、左右のラック５７（Ｌ・Ｒ）とピニオンギア５８が具備されている。左ラック５７Ｌは左シャッター５６Ｌと一体に形成されており、右ラック５７Ｒは右シャッター５６Ｒと一体に形成されている。ピニオンギア５８はその左右の両ラック５７（Ｌ・Ｒ）に噛合している。
【００６１】
また、図９に示すように、シャッター５６（Ｌ・Ｒ）の開口側の端部には、シャッター５６（Ｌ・Ｒ）の移動方向に略垂直な仕切り６１が配設されている。ここで、仕切り６１は、ファン５３（Ｌ・Ｒ）からの風の風路が長手方向に逃げないようにダクト内部の空間を仕切る仕切り壁に相当する。
【００６２】
ここで、Ｌ側の仕切り６１は、シャッター５６Ｌに一体となって構成されており、シャッター５６Ｌの移動と共に仕切り６１も左右方向に移動する。Ｒ側の仕切り６１は、シャッター５６Ｒに一体となって構成されており、シャッター５６Ｒの移動と共にＲ側の仕切り６１も左右方向に移動する。フィルム３３の長手方向に関し、仕切り６１は、シャッター５６（Ｌ・Ｒ）の外側（フィルム３３の端部に近い側）で接続されている。
【００６３】
ピニオンギア５８は、本体フレーム（不図示）に配設されたシャッターモータ（パルスモータ）Ｍ２により正転駆動又は逆転駆動される。シャッターモータＭ２によりピニオンギア５８が正転駆動又は逆転駆動されることで、左右のシャッター５６（Ｌ・Ｒ）が連動して互いに近づく方向または離間する方向に同じ移動量をもって往復動する。即ち、送風口５１（Ｌ・Ｒ）に対して開閉動する。これにより、上記シャッター機構５４の左右の送風口５１（Ｌ・Ｒ）の左右方向に関する開口幅が、等しくなるように同期して調整される。
【００６４】
制御回路部２００は、通紙される用紙の幅情報がＡ３サイズ幅の大サイズ用紙であるときは、シャッターモータ駆動回路９３を制御して、図１０のように、シャッター５６（Ｌ・Ｒ）を移動する。即ち、シャッター５６（Ｌ・Ｒ）をダクト５２（Ｌ・Ｒ）のエア吹き出し口、即ち送風口５１（Ｌ・Ｒ）を十分に閉ざした全閉位置に移動する。
【００６５】
また、Ａ５Ｒサイズ幅の小サイズ用紙であるときは、図１１のように、シャッター５６（Ｌ・Ｒ）をダクト５２（Ｌ・Ｒ）のエア吹き出し口、即ち送風口５１（Ｌ・Ｒ）を十分に開いた全開位置に移動する。
【００６６】
また、Ｂ４サイズ幅の小サイズ記録材であるときは、シャッター５６（Ｌ・Ｒ）を、非通紙部ａ（図５）に対応する部分だけダクト５２（Ｌ・Ｒ）のエア吹き出し口、即ち送風口５１（Ｌ・Ｒ）を開いた位置に移動する。
【００６７】
ここで、通紙される小サイズ用紙が、ＬＴＲ−Ｒ、ＥＸＥ、ＬＴＲ等である場合には、制御回路部２００は、それらの場合に生じる非通紙部に対応する分だけ送風口５１（Ｌ・Ｒ）を開いた位置にシャッター５６（Ｌ・Ｒ）を移動する。すなわち、シャッター５６（Ｌ・Ｒ）は、エア吹き出し口（送風口）の開口幅（送風幅）を通紙される用紙の幅（長手方向の長さ）に応じて調整可能に設けられている。なお、本実施例における最小、最大及び全シートサイズ（各種サイズ）とは、画像形成装置本体が保証する定型紙のことであり、ユーザが独自に使用する不定型サイズ紙をいうものではない。
【００６８】
シャッター５６（Ｌ・Ｒ）の位置情報は、図９のように、シャッター５６（Ｌ・Ｒ）の所定位置に配置されたフラグ５９を、本体フレーム（不図示）上に配置されたセンサ６０により検出する。具体的には、エア吹き出し口（送風口）を全閉したシャッター位置でホームポジションを定め、開口量はシャッターモータＭ２の回転量から検出している。
【００６９】
なお、シャッター５６（Ｌ・Ｒ）の現在位置を直接検出する開口幅検出センサを設ける。そして、該センサによるシャッター位置情報を制御回路部２００にフィードバックし、通紙される用紙の幅に対応させてシャッター５６（Ｌ・Ｒ）を適正な開口幅位置に移動制御するように構成してもよい。
【００７０】
シャッター５６（Ｌ・Ｒ）の停止位置は、シャッター５６（Ｌ・Ｒ）のエッジ位置をセンサで検出することで、小サイズ用紙の幅方向の長さに対応する位置を精度良く定められる。従って、全小サイズ用紙の非通紙領域に対して冷却風を送風可能となっている。
【００７１】
次に、本実施例の定着装置２０における左右のファン５３（Ｌ・Ｒ）の動作について図１２のフローチャートを用いて説明する。冷ファン５３（Ｌ・Ｒ）の動作制御は、制御回路部２００が冷却ファン駆動回路９４を制御することにより行われる。
【００７２】
プリントスタート信号を受信すると（ステップＳ１）、ヒータ３５への通電を開始し（ステップＳ２）、定着装置２０の温度立上げ動作を開始する。定着装置２０が所定の温度に到達すると、メインサーミスタＴＨ１の温度が所定の定着温度となるように温度制御及びプリント動作を開始する（ステップＳ３）。
【００７３】
その後、プリントを継続しない場合には（ステップＳ４のＮ）、プリントを終了する（ステップＳ１１）。一方、プリントを継続する場合には（ステップＳ４のＹ）、プリント中にサブサーミスタＴＨ２の検出温度Ｔｓｕｂが冷却ファン駆動温度Ｔｆａｎ−ｏｎ以上になると（ステップＳ５のＹ）、シャッター５６（Ｌ・Ｒ）を用紙幅に基づいて開く（ステップＳ６）。その後、ファン５３（Ｌ・Ｒ）の駆動（ファンによる冷却動作）を開始する（ステップＳ７）。即ち、制御回路部（実行手段）２００はサブサーミスタＴＨ２による検出温度が設定温度に上昇したときファンによる冷却動作を実行する。
【００７４】
さらにプリントを継続した場合には（ステップＳ８のＹ）、ファン５３（Ｌ・Ｒ）により非通紙域が冷却される。その後、サブサーミスタＴＨ２の検出温度Ｔｓｕｂが冷却ファン駆動温度Ｔｆａｎ−ｏｆｆ以下になると（ステップＳ９のＹ）、ファン５３（Ｌ・Ｒ）の駆動を停止し（ステップＳ１０）、ステップＳ４に戻る。なお、ステップＳ８において、プリントを継続しない場合には、プリントを終了する（ステップ１１）。
【００７５】
図１は送風冷却機構部２０Ｂの小サイズ紙通紙時における縦断面模式図である。本実施例においては、左右の各ダクト５２（Ｌ・Ｒ）の内部を仕切るように、シャッター５６（Ｌ・Ｒ）の開口部側（送風口側）の端部にシャッター５６（Ｌ・Ｒ）の移動方向に垂直方向（略垂直方向）に仕切り（仕切り壁）６１が配設されている。これにより、ダクト５２（Ｌ・Ｒ）の内部は仕切り６１を隔てて分けられ、シャッター５６（Ｌ・Ｒ）と仕切り６１に遮蔽された閉空間Ｄ、シャッター５６（Ｌ・Ｒ）が開口している開空間Ｅ、の２つの領域が形成される。
【００７６】
ここで、閉空間Ｄと開空間Ｅを流れる冷却風は仕切り６１に遮断されるため、互いに影響を及ぼさない。閉空間Ｄにおいては、シャッター５６（Ｌ・Ｒ）と仕切り６１に遮られた冷却風が渦を形成し、流量の全てを消費する。また、開空間Ｅにおいては、ファン５３（Ｌ・Ｒ）からの冷却風は仕切り６１に沿って平行にほぼ流量の損失なく流れ、フィルムアセンブリ３１に対してシャッター５６（Ｌ・Ｒ）の開口幅と略同一幅の長手領域を一様の流量で冷却する。
【００７７】
一方、前述した図２０の（ａ）に示すように仕切り６１がない従来構成においては、シャッター１５６（Ｌ・Ｒ）に遮蔽された領域で形成された渦Ｚが、シャッター１５６（Ｌ・Ｒ）が開口している領域の冷却風に影響を与える。例えば、渦Ｚに近い領域におけるシャッター１５６（Ｌ・Ｒ）の開口領域の冷却風の流量が増大もしくは減少する恐れがある。これにより、定着部材（フィルムアセンブリ）１３１に対して長手方向に不均一な流量で冷却することになる。
【００７８】
また、前述した図２０の（ｂ）に示すようにダクト１５２（Ｌ・Ｒ）側に仕切り１６１を設ける従来構成においては、仕切り１６１の長手位置とシャッター１５６（Ｌ・Ｒ）の先端位置の長手方向の位置ずれが生じた場合に、図２０の（ａ）と同じ機序となる。即ち、シャッター１５６（Ｌ・Ｒ）が開口している領域の冷却風が、渦に近い領域において影響を受け、冷却風の流量が長手方向に不均一になる。
【００７９】
以上説明したように、本実施例では、定着機構部２０Ａの非通紙部を冷却する送風冷却機構部２０Ｂにおいて、ファン５３（Ｌ・Ｒ）より送風される冷却風を遮蔽するシャッター５６（Ｌ・Ｒ）の開口側端部（送風口側の端部）に仕切り６１を配置する。この仕切り６１は、ダクト１５２（Ｌ・Ｒ）の内部に突出しており、ダクト５２（Ｌ・Ｒ）の内側（内部）空間をシャッター５６（Ｌ・Ｒ）の移動方向と垂直方向（略垂直方向）に仕切る。この仕切り６１により、ファン５３（Ｌ・Ｒ）からフィルムアセンブリ３１の非通紙部に向かう冷却風の流量を長手方向で均一にすることができる。
【００８０】
したがって、通紙域の温度ムラ及び非通紙域の過剰な温度上昇を解消することができ、小サイズ用紙での搬送速度ダウンや画像の光沢ムラ等の定着不良を防止することが可能となる。
【００８１】
《実施例２》
以下に実施例２について説明する。上記実施例１においては、仕切り６１が、シャッター５６の移動方向に略垂直に配設された場合、すなわち、仕切り６１に沿って送られる風が、シャッター５６の開口部に垂直方向を向くように配設した場合について説明した。
【００８２】
図１３に示すように、仕切り６１は、仕切り６１に沿って送られる風の向きが、長手方向に関して、通紙域から離れる一方向を向くようにフィルム３３側の開口部からファン５３（Ｌ・Ｒ）に向かって開口が広がるように配設されていてもよい。ここで、通紙域は、フィルム３３のうちの一部の領域であって用紙が搬送された場合の該用紙の通過領域である。
【００８３】
すなわち、ファン５３（Ｌ・Ｒ）からダクト開口部に向けて冷却風の流路断面積が小さくなるように傾きをもって配設してもよい。つまり、仕切り６１はフィルム３３の側からファン５３の方向に突出しており、フィルム３３からファン５３に向って開口が拡大する方向に傾斜して配設されていてもよい。これにより、仕切り６１に傾きを持たせない場合に比べて、任意の開口幅におけるファン５３（Ｌ・Ｒ）からの冷却風の流量が増加し、より冷却効率を上げることが可能となる。
【００８４】
《実施例３》
以下に実施例３について説明する。図１４に示すように、ファン５３（Ｌ・Ｒ）は長手方向において複数並べて配置することができ、例として、左側２つ（５３Ｌ１、５３Ｌ２）、右側２つ（５３Ｒ１、５３Ｒ２）、配置したものを示す。これにより冷却可能な長手幅を大きくすることができる。
【００８５】
一方、ファン５３（Ｌ・Ｒ）は個々の動作を選択的に制御することが可能であり、複数のファン５３の一部の回転を止めることで電気消費量を抑えることができる。例として、図１５に示すように、ファン５３Ｌ２、５３Ｒ２の長手方向端部Ｘに対して仕切り６１の位置が一致、もしくはそれよりも開口幅が狭い場合、ファン５３Ｌ２、５３Ｒ２の冷却風は全てシャッター５６（Ｌ・Ｒ）および仕切り６１に遮蔽される。即ち、閉空間Ｄ内で流量が消費される。
【００８６】
この場合においては、ファン５３Ｌ２、５３Ｒ２の動作の有無によって冷却効率は変化しないため、ファン５３Ｌ２、５３Ｒ２の動作を停止させることで電気消費量を抑えることができる。
【００８７】
上記の通り、仕切り６１があることにより、複数のファンを長手方向に並べる構成において選択的にファンを停止させることで、冷却効率を下げずに電気消費量を抑えることが可能となる。
【００８８】
なお、本実施例３は実施例２と同様、仕切り６１が長手方向に関してフィルムアセンブリ３１側の開口部からファン５３（Ｌ・Ｒ）側に向かって開口が広がるように傾きをもって配設された場合を例にした。しかし、これに限るものではなく、実施例１と同様に仕切り６１がシャッター移動方向に対して略垂直に配設されていてもよい。
【００８９】
《実施例４》
（１）実施例１乃至３の定着装置２０は、用紙の搬送が用紙幅中心の中央基準搬送である。そして、送風口５１（Ｌ・Ｒ）はその中央基準搬送の基準線Ｓに対して対称的に２つ設置されており、各送風口に対してそれぞれ１枚ずつのシャッター５６（Ｌ・Ｒ）を備えたシャッター機構５４が配設されている構成（片側１枚のシャッター構成）である。
【００９０】
これに限られず、用紙の搬送は片側基準搬送でなされてもよい。即ち、定着装置２０は、図１６の模式図に示すように、用紙の一端側を基準とする片側基準搬送であり、送風口５１は１つであり、この送風口５１に対して１枚のシャッター５６を備えたシャッター機構５４が配設されている構成にすることもできる。
【００９１】
（ａ）はシャッター５６が送風口５１を全閉にした位置に移動されている状態時、（ｂ）はシャッター５６が送風口５１を全開にした位置に移動されている状態時を示している。ＳＡは片側基準搬送の基準線（仮想線）、矢印５６ａはシャッター５６の閉じ移動方向、矢印５６ｂは開き移動方向を示している。
【００９２】
（２）実施例１乃至３の定着装置２０において、左右のシャッター５６（Ｌ・Ｒ）は開口幅を拡大するために、複数枚のシャッターを具備させる。そしてこの複数枚のシャッターが重なるように開くシャッター機構構成にすることもできる。即ち、シャッター機構５４の開口動作に伴って複数枚のシャッターが移動することによってシャッター機構の送風口の開口幅を変更する面の面積が縮小する構成である。
【００９３】
図１７は左右のシャッターそれぞれ２枚のシャッター５６Ｌ１・５６Ｌ２、５６Ｒ１・５６Ｒ２にした構成の模式図である（片側２枚のシャッター構成）。（ａ）はシャッター機構５４の閉口動作に伴って左右の送風口５１（Ｌ・Ｒ）がそれぞれ２枚のシャッター５６Ｌ１・５６Ｌ２、５６Ｒ１・５６Ｒ２の閉じ移動５６ａにより全閉された状態時を示している。（ｂ）はシャッター機構５４の開口動作に伴って上記２枚のシャッター５６Ｌ１・５６Ｌ２、５６Ｒ１・５６Ｒ２が重なり合って開き移動５６ｂして左右の送風口５１（Ｌ・Ｒ）がそれぞれ全開された状態時を示している。
【００９４】
矢印５６Ｌ１ａ・５６Ｌ２ａ、５６Ｒ１ａ・５６Ｒ２ａはシャッター５６Ｌ１・５６Ｌ２、５６Ｒ１・５６Ｒ２の閉じ移動方向を示している。また、矢印５６Ｌ１ｂ・５６Ｌ２ｂ、５６Ｒ１ｂ・５６Ｒ２ｂはシャッター５６Ｌ１・５６Ｌ２、５６Ｒ１・５６Ｒ２の開き移動方向を示している。シャッター５６Ｌ１・５６Ｒ１の開閉移動時の移動速度はシャッター５６Ｌ２・５６Ｒ２の２倍速となるように機構構成されている。
【００９５】
図１７の片側２枚のシャッター構成において、仕切りは、片側の２枚のシャッターのうちよりフィルム３３の長手方向の外側に位置するシャッターに設ける。すなわち、図１７において、Ｌ側の送風口５１Ｌに対しては、よりフィルム３３の長手方向の外側（端部側）のシャッター５６Ｌ１に対し、一体となるように仕切り６１を設ける。仕切り６１は、シャッター５６Ｌ１と共に左右方向に移動できる。
【００９６】
また、図１７において、Ｒ側の送風口５１Ｒに対しては、よりフィルム３３の長手方向の外側（端部側）のシャッター５６Ｒ１に対し、一体となるように仕切り６１を設ける。仕切り６１は、シャッター５６Ｒ１と共に左右方向に移動できる。
【００９７】
（３）前述した図１６の用紙を片側基準搬送する定着装置２０においてもシャッター機構５３を複数枚のシャッター部材を具備させた構成にすることもできる。図１８は２枚のシャッター５６Ａ１・５６Ａ２を具備させた構成の模式図である。（ａ）はシャッター機構５４の閉口動作に伴って送風口５１が２枚のシャッター５６Ａ１・５６Ａ２の閉じ移動により全閉された状態時を示している。（ｂ）はシャッター機構５４の開口動作に伴って上記２枚のシャッター５６Ａ１・５６Ａ２が重なり合って開き移動して送風口５１（Ｌ・Ｒ）が全開された状態時を示している。
【００９８】
矢印５６Ａ１ａ・５６Ａ２ａはシャッター５６Ａ１・５６Ａ２の閉じ移動方向、矢印５６Ａ１ｂ・５６Ａ２ｂはシャッター５６Ａ１・５６Ａの開き移動方向を示している。シャッター５６Ａ１の開閉移動時の移動速度はシャッター５６Ａ２の２倍速となるように機構構成されている。
【００９９】
（４）また、実施例１乃至３の片側１枚のシャッター構成の定着装置において、シャッター機構５４の開口動作に伴って左右の各送風口５１（Ｌ・Ｒ）のシャッター部材５５（Ｌ・Ｒ）が重なり合って移動する構成にすることもできる。図１９はこの例を示す模式図である。（ａ）は左右の各送風口５１（Ｌ・Ｒ）がそれぞれ左右のシャッター５６（Ｌ・Ｒ）の閉じ移動５６Ｌａ・５６Ｒａにより全閉された状態時を示している。（ｂ）はシャッター機構５４の開口動作に伴って上記左右２枚のシャッター５６（Ｌ・Ｒ）が重なり合って開き移動５６Ｌｂ・５６Ｒｂして各送風口５１（Ｌ・Ｒ）が全開された状態時を示している。
【０１００】
なお、図１７〜図２０の各模式図において、シャッター５６に駆動を伝える駆動部材を備えたシャッター機構５４は省略したけれども、実施例１と同様にラック−ピニオン機構等により適宜に構成され得る。
【０１０１】
《その他の事項》
１）定着機構部２０Ａは、上記実施例のベルト加熱方式・加圧回転体駆動方式に限られず、熱ローラ方式、その他の方式のものにすることができる。電磁誘導加熱方式の装置にすることもできる。
【０１０２】
２）定着装置２０として用紙上に形成された未定着トナー像を加熱して定着する装置を例にして説明したがこれに限られない。例えば、用紙に仮定着されたトナー像を加熱し再定着することにより画像のグロス（光沢度）を増大させる装置（この場合も定着装置と呼ぶことにする）であってもよい。即ち、例えば、半定着済みのトナー画像を用紙に定着させる装置や、定着済みの画像に対して加熱処理を施す装置であってもよい。したがって、画像形成装置に搭載される定着装置は、例えば、画像の光沢や表面性を調節する表面加熱装置であってもよい。
【０１０３】
３）プリンタ１００を例に説明した画像形成装置は、カラーの画像を形成する画像形成装置に限られず、モノクロの画像を形成する画像形成装置でもよい。また画像形成装置は、必要な機器、装備、筐体構造を加えて、複写機、ＦＡＸ、及び、これらの機能を複数備えた複合機等、種々の用途で実施できる。
【０１０４】
４）以上の説明では、便宜上、記録材（シート）Ｐの扱いを、通紙、給紙、排紙、通紙部、非通紙部など紙に纏わる用語を用いて説明するが記録材は紙に限定されるものではない。記録材Ｐは、画像形成装置によってトナー像が形成され得るシート状の記録媒体（メディア）である。例えば、定型あるいは不定型の普通紙、薄紙、厚紙、上質紙、コート紙、封筒、葉書、シール、樹脂シート、ＯＨＰシート、印刷用紙、フォーマット紙等が挙げられる。
【符号の説明】
【０１０５】
２０・・定着装置、２０Ａ・・定着機構部、２０Ｂ・・送風冷却機構部、３１・・定着部材、３２・・加圧ローラ、３３・・フィルム（加熱回転体）、５２・・冷却用ダクト、５３・・冷却ファン、５４・・シャッター機構、５５・・シャッターフレーム、５６・・シャッター、５７・・ラック、５８・・ピニオンギア、５９・・フラグ、６１・・仕切り、Ｄ・・ダクト内閉空間、Ｅ・・ダクト内開空間
【図１】
2019095533.tif 000003
【図２】
2019095533.tif 000004
【図３】
2019095533.tif 000005
【図４】
2019095533.tif 000006
【図５】
2019095533.tif 000007
【図６】
2019095533.tif 000008
【図７】
2019095533.tif 000009
【図８】
2019095533.tif 000010
【図９】
2019095533.tif 000011
【図１０】
2019095533.tif 000012
【図１１】
2019095533.tif 000013
【図１２】
2019095533.tif 000014
【図１３】
2019095533.tif 000015
【図１４】
2019095533.tif 000016
【図１５】
2019095533.tif 000017
【図１６】
2019095533.tif 000018
【図１７】
2019095533.tif 000019
【図１８】
2019095533.tif 000020
【図１９】
2019095533.tif 000021
【図２０】
2019095533.tif 000022